(57)【要約】【課題】低抵抗でありながら、装着者の泳ぎのフォームが崩れることを抑制可能な水着を提供する。【解決手段】水着は、伸縮性を有する素材からなる水着であって、経方向および緯方向に沿った流水摩擦抵抗が正逆方向で等しい本体部１０Ａと、第１方向（斜め方向）に沿った流水摩擦抵抗が、第１方向と反対の第２方向に沿った流水摩擦抵抗よりも高く、かつ、本体部１０Ａの経方向および緯方向に沿った流水摩擦抵抗よりも高い前脛部２０Ａとを備える。【選択図】図１
2009249788.tif 000002
【特許請求の範囲】
【請求項１】
伸縮性を有する素材からなる水着であって、
経方向および緯方向に沿った流水摩擦抵抗が正逆方向で等しい第１の部分と、
第１の方向に沿った流水摩擦抵抗が、前記第１の方向に対して反対の第２の方向に沿った流水摩擦抵抗よりも高く、かつ、前記第１の部分の前記経方向および前記緯方向に沿った流水摩擦抵抗よりも高い第２の部分とを備えた、水着。
【請求項２】
前記第２の部分は、装着者の腕または脚の一部に相当する部分に設けられる、請求項１に記載の水着。
【請求項３】
前記第２の部分は、装着者の脚の膝から下の一部に相当する部分に設けられる、請求項１または請求項２に記載の水着。
【請求項４】
前記第２の部分は、装着者の脛の前面に相当する部分に設けられる、請求項１または請求項２に記載の水着。
【請求項５】
前記第１の方向は、装着者の体の幅方向中心側から、装着者の体の幅方向外側に向かう方向と平行な方向である、請求項３または請求項４に記載の水着。
【請求項６】
前記第１の方向は、装着者の体の幅方向中心側でかつ上側から、装着者の体の幅方向外側でかつ下側に向かう斜め方向と平行な方向である、請求項３または請求項４に記載の水着。
【請求項７】
前記第２の部分は、装着者の前腕部の手首掌側部から肘の内側部および上腕内側部を経由して、腕の付根内側部までに相当する部分に設けられる、請求項１または請求項２に記載の水着。
【請求項８】
前記第２の部分は、装着者の前腕部の一部に相当する部分に設けられる、請求項１または請求項２に記載の水着。
【請求項９】
前記第２の部分は、装着者の前腕部の掌側の一部に相当する部分に設けられる、請求項１または請求項２に記載の水着。
【請求項１０】
前記第２の部分は、装着者が水中で推進力を得る動作を行なう際に表面速度が相対的に大きい部分に選択的に設けられる、請求項１から請求項９のいずれかに記載の水着。
【請求項１１】
前記第２の部分は、前記第２の方向に沿って順目が形成され、前記第１の方向に沿って逆目が形成されるように構成される、請求項１から請求項１０のいずれかに記載の水着。
【発明の詳細な説明】
【技術分野】
【０００１】
本発明は、水着に関し、特に、伸縮性を有する素材からなる水着に関する。
【背景技術】
【０００２】
特開２００６−３４８３９８号公報（特許文献１）には、伸縮性を有する生地からなる水着の少なくとも一部分に、連続的に形成した撥水部を有する連続撥水部分と、撥水部および非撥水部を断続的に形成した断続撥水部分とが、体長方向に平行なストライプ状に形成された撥水領域を設けることが記載されている。特許文献１では、上記構成により、競泳水着の表面摩擦抵抗を低減できるとされている。
【０００３】
特開２００３−３３０７号公報（特許文献２）には、ドット列またはディンプル列を適宜間隔で形成した競泳用水着が記載されている。特許文献２では、上記構成により、流水を積極的にコントロールして抵抗を小さくできるとされている。
【０００４】
特開２００６−３７３１１号公報（特許文献３）には、伸縮性を有する繊維生地材料よりなる水着の表面全体に、ミクロン単位の多数の微小突状どうしが常に点接触／線接触／面接触している構造が記載されている。特許文献３では、上記構成により、乱流発生を防止して流体抵抗を低減できるとされている。
【０００５】
特開平８−２４６２０９号公報（特許文献４）には、競技用衣服の基布の表面に方向性を付与し、特に流体抵抗を著しく受ける衣服の基布を順目または逆目になるように配し、該衣服における流体剥離位置を後退して、競技者の後方に発生する渦を縮小させ、身体が受ける流体抵抗を低減させることが記載されている。
【特許文献１】特開２００６−３４８３９８号公報
【特許文献２】特開２００３−３３０７号公報
【特許文献３】特開２００６−３７３１１号公報
【特許文献４】特開平８−２４６２０９号公報
【発明の開示】
【発明が解決しようとする課題】
【０００６】
特許文献１〜３に記載されているように、競泳用水着の分野では、近年、少しでも競技において有利となるように、流体抵抗をできるだけ抑制するための種々の構造が提案されている。また、特許文献４においても、特許文献１〜３と同様に、流体抵抗を低減することを意図している。
【０００７】
しかしながら、上記のような構成で水着の流体抵抗を抑制することにより、水中を進む際の減速は抑制されるものの、競技者が水を掻いたり蹴ったりする動作の感覚が得難くなる傾向にある。この結果、競技者自身の泳ぎのフォームが崩れやすくなり、競技において有利となることを意図して低抵抗の水着を用いたにも関わらず、競技にとって却って不利になることが懸念される。
【０００８】
本発明は、上記のような問題に鑑みてなされたものであり、本発明の目的は、低抵抗でありながら、装着者の泳ぎのフォームが崩れることを抑制可能な水着を提供することにある。
【課題を解決するための手段】
【０００９】
本発明に係る水着は、伸縮性を有する素材からなる水着であって、経方向および緯方向に沿った流水摩擦抵抗が正逆方向で等しい第１の部分と、第１の方向に沿った流水摩擦抵抗が、第１の方向に対して反対の第２の方向に沿った流水摩擦抵抗よりも高く、かつ、第１の部分の経方向および緯方向に沿った流水摩擦抵抗よりも高い第２の部分とを備える。
【００１０】
上記構成によれば、一方の方向（第２の方向）に沿った抵抗が相対的に低く、他方の方向（第１の方向）に沿った抵抗が相対的に高い部分（第２の部分）を設けることにより、水中を進む際の抵抗は低いにも関わらず、水を掻いたり蹴ったりする動作の感覚が得難くなることを抑制できる。したがって、従来の水着の設計において妨げとなっていた高抵抗という要素を逆に利用することで、低抵抗でかつ装着者が泳ぎのフォームを崩すことを抑制可能な水着が提供される。
【００１１】
なお、本願明細書において、「経方向」とは、織物における経糸がならぶ方向、および、編物におけるウエルがならぶ方向を意味する。また、本願明細書において、「緯方向」とは、織物における緯糸がならぶ方向、および、編物におけるコースがならぶ方向を意味する。また、「流水摩擦抵抗が正逆方向で等しい」とは、流水摩擦抵抗が正逆方向で完全に等しい場合のみならず、若干の誤差はあるがほぼ等しい場合も含む。
【００１２】
また、第２の部分における第２の方向に沿った流水摩擦抵抗は、第１の部分の流水摩擦抵抗よりも低くてもよいし、高くてもよい。
【００１３】
上記水着において、好ましくは、第２の部分は、装着者の腕または脚の一部に相当する部分に設けられる。
【００１４】
上記水着において、好ましくは、第２の部分は、装着者の脚の膝から下の一部に相当する部分に設けられる。
【００１５】
上記水着において、好ましくは、第２の部分は、装着者の脛の前面に相当する部分に設けられる。
【００１６】
上記水着において、好ましくは、上記第１の方向は、装着者の体の幅方向中心側から、装着者の体の幅方向外側に向かう方向と平行な方向である。
【００１７】
上記水着において、好ましくは、上記第１の方向は、装着者の体の幅方向中心側でかつ上側から、装着者の体の幅方向外側でかつ下側に向かう斜め方向と平行な方向である。
【００１８】
上記水着において、好ましくは、第２の部分は、装着者の前腕部の手首掌側部から肘の内側部および上腕内側部を経由して、腕の付根内側部までに相当する部分に設けられる。
【００１９】
上記水着において、好ましくは、第２の部分は、装着者の前腕部の一部に相当する部分に設けられる。
【００２０】
上記水着において、好ましくは、第２の部分は、装着者の前腕部の掌側の一部に相当する部分に設けられる。
【００２１】
上記水着において、好ましくは、第２の部分は、装着者が水中で推進力を得る動作を行なう際に表面速度が相対的に大きい部分に選択的に設けられる。
【００２２】
上記水着において、好ましくは、第２の部分は、第２の方向に沿って順目が形成され、第１の方向に沿って逆目が形成されるように構成される。
【発明の効果】
【００２３】
本発明によれば、低抵抗の水着でありながら、装着者の泳ぎのフォームが崩れることを抑制することができる。
【発明を実施するための最良の形態】
【００２４】
以下に、本発明の実施の形態について説明する。なお、同一または相当する部分に同一の参照符号を付し、その説明を繰返さない場合がある。
【００２５】
なお、以下に説明する実施の形態において、個数、量などに言及する場合、特に記載がある場合を除き、本発明の範囲は必ずしもその個数、量などに限定されない。また、以下の実施の形態において、各々の構成要素は、特に記載がある場合を除き、本発明にとって必ずしも必須のものではない。また、以下に複数の実施の形態が存在する場合、特に記載がある場合を除き、各々の実施の形態の構成を適宜組合わせることは、当初から予定されている。
【００２６】
まず最初に、後述する実施の形態１，２に係る水着の設計方法の一例について説明する。
【００２７】
図１６は、衣類設計支援装置の一例を示す図である。図１６を参照して、本実施の形態に係る衣類設計支援装置は、身体形状データ入力部１００と、ポリゴンデータ算出部２００と、身体動作情報入力部３００と、ポリゴンデータ変位算出部４００と、表示部５００とを含む。
【００２８】
身体形状データ入力部１００には、身体形状データが三次元座標として入力される。これにより、身体形状データ入力部１００には、ポリゴンデータ生成のための基礎データが入力される。ポリゴンデータ算出部２００は、身体形状データ入力部１００で入力された身体形状データに基づいて、衣服の設計対象である身体形状を表す三次元ポリゴンデータを生成する。身体動作情報入力部３００には、身体形状の動きを示す身体動作情報が、時系列データとして入力される。ポリゴンデータ変位算出部４００は、ポリゴンデータ算出部２００において算出されたポリゴンデータが、身体動作情報入力部３００に入力された身体動作情報に応じて、時系列にどのように変位するのか（たとえば図１７に示す状態）を算出する。
【００２９】
表示部５００は、ポリゴンデータ変位算出部４００により算出されたデータに基づいて、たとえば、装着者の体の表面における速度ベクトルの分布を表示することが可能である。
【００３０】
本願発明者らは、図１６に示す衣類設計支援装置により得られた結果として、四泳法（自由形、平泳ぎ、背泳ぎ、バタフライ）に共通して、足で水を蹴る際、装着者の脛の前面の流速が大きくなり、手で水を掻く際、装着者の前腕部の掌側の流速が大きくなる傾向にあることを確認している。
【００３１】
低抵抗化が進んだ近年の水着では、水中での減速が抑制されるという有利な効果が得られる一方で、水を蹴る際の感覚が得難くなり、水泳動作のフォームを乱しやすい傾向にある。これに対し、後述する実施の形態１，２に係る水着では、推進力を得ようとする際に最も流速が大きくなる部分に高抵抗の素材を設け、所定の方向の流水摩擦抵抗を敢えて選択的に高くすることで、フォームの崩れを抑制することができる。この結果、低抵抗でありながら、フォームを乱さず泳ぎの動作に関する感覚が得やすい水着が提供される。
【００３２】
（実施の形態１）
図１〜図３は、実施の形態１に係る水着を示す図である。なお、図１は、水着１Ａの斜視図であり、図２は、水着１Ａの側面図であり、図３は、水着１Ａの背面図である。
【００３３】
図１〜図３を参照して、本実施の形態に係る水着１Ａは、装着者の体に密着する水着であり、本体部１０Ａと、前脛部２０Ａとを含む。
【００３４】
本体部１０Ａおよび前脛部２０Ａは、所定の伸縮性を有する。前脛部２０Ａは、装着者の脛の前面に相当する部分に設けられる。前脛部２０Ａは、左右両足に一片ずつ設けられている。
【００３５】
前脛部２０Ａは、装着者の体の丈方向に長い細長形状を有している。前脛部２０Ａは、その丈方向の両先端部が尖った形状を有している。また、前脛部２０Ａは、その丈方向中央部が丈方向先端部に対して幅広に形成されている。
【００３６】
本体部１０Ａは、経方向においても、緯方向においても、流水摩擦抵抗が正逆方向で等しいという性質を有する。他方、前脛部２０Ａは、所定の方向において、流水摩擦抵抗が正逆方向で異なるという性質を有する。より具体的には、矢印ＤＲ１方向（図３参照）の流水摩擦抵抗は、矢印ＤＲ２方向（図３参照）の流水摩擦抵抗よりも高い。
【００３７】
装着者の腕の一部に相当する部分においても、前脛部２０Ａのように、流水摩擦抵抗が正逆方向で異なる素材が用いられてもよい。
【００３８】
前脛部２０Ａは、装着者が水中で推進力を得る動作（たとえば、平泳ぎであれば、脚で水を蹴る動作）を行なう際に表面速度が相対的に大きい部分に選択的に設けられる。このようにすることで、装着者が脚で水を蹴る感覚が得やすくなる。
【００３９】
図３に示すように、矢印ＤＲ１方向は、装着者の体の幅方向中心側から、装着者の体の幅方向外側に向かう方向である。典型的には、矢印ＤＲ１方向は、装着者の体の前面側において、装着者の体の幅方向中心側でかつ上側から、装着者の体の幅方向外側でかつ下側に向かう斜め方向である。なお、矢印ＤＲ１方向と装着者の身長方向（図１，図３における上下方向）とのなす角度（図１，図３中のα）は、１５°以上１０５°以下程度（より好ましくは、５０°以上７０°以下程度）である。
【００４０】
次に、図４，図５を用いて、前脛部２０Ａを構成する素材の構造の一例について説明する。なお、図４，図５は、同じ素材の拡大写真である。図５は、図４の拡大写真をさらに拡大して示したものである。図４，図５を参照して、前脛部２０Ａは、矢印ＤＲ１方向に沿って逆目が形成され、矢印ＤＲ２方向に沿って順目が形成されるように構成されている。
【００４１】
本実施の形態では、前脛部２０Ａを構成する生地を装着者の脛の前面側にのみ設ける例について示しているが、前脛部２０Ａを構成する生地は、装着者の前面側から背面側に回り込むように設けられる場合もある。この場合は、前脛部２０Ａを構成する生地を背面側に回り込ませた結果、装着者の前面側では体の幅方向中心側から外側に向かって逆目が形成されるが、装着者の背面側では体の幅方向外側から中心側に向かって逆目が形成されることになる。なお、図３は水着１Ａの背面図であるが、図３における矢印ＤＲ１は、装着者の体の前面側に位置する前脛部２０Ａの逆目方向を図示したものである。
【００４２】
図６は、図４，図５に示す素材の構造を模式的に示す図である。図６を参照して、前脛部２０Ａを構成する前脛部材２０は、その表面に凸部２１を有する。好ましくは、凸部２１のピッチ（Ｌ）は、１００μｍ以上３０００μｍ以下程度であり、凸部２１の高さ（Ｈ）は、２０μｍ以上５００μｍ以下程度である。また、凸部２１の傾斜角度（θ）は、９０°未満の範囲で任意に選択可能である（一例としては、１０°以上８５°以下程度）。なお、凸部２１の傾斜角度とは、図６に示すように、凸部２１の先端において凸部２１と接する仮想線の接点と、凸部２１の底部の幅方向中心とを結ぶ線と、前脛部材２０の生地の主表面とのなす角度を意味する。
【００４３】
上記のような順目・逆目を有する生地を編地で形成する場合、たとえば、一般に用いられる交編経編地を染色加工し、樹脂を含浸させて撥水加工した後、カレンダー加工により凸部を片倒しすることが考えられる。
【００４４】
上述したように、前脛部２０Ａにおいては、矢印ＤＲ１方向の流水摩擦抵抗が、矢印ＤＲ２方向の流水摩擦抵抗よりも高い。好ましくは、矢印ＤＲ１方向の流水摩擦抵抗は、矢印ＤＲ２方向の流水摩擦抵抗の１００．５％以上（１２０％以下）程度である。なお、本体部１０Ａにおいては、正逆方向の流水摩擦抵抗の差は、全体の０．５％未満程度である。本願明細書においては、正逆方向の流水摩擦抵抗の差が全体の０．５％未満程度であれば、測定誤差の範囲内とみなし、流水摩擦抵抗差は実質的に無いに等しいものとする。
【００４５】
次に、流水摩擦抵抗の測定方法の一例について、図１８を用いて説明する。図１８を参照して、上端３１Ａ，３１Ｂが水平方向（矢印Ｂ方向）に自由に移動できる支柱３２Ａ，３２Ｂによって支えられたガラス板３３（長さ３０００ｍｍ、幅６００ｍｍ）の両面に試験用生地３４を貼り付け、回流水路３５中に所定の深度まで沈降させる。金属製支柱３６の下端はガラス板３３に固定され、支柱３６の上端は天井に固定されている。支柱３６の上方部分に歪みゲージ３７が設置されている。ガラス板３３に貼り付けた生地３４の表面が、矢印Ａの方向に流れる水流から受ける抵抗の大きさは、歪みゲージ３７からの電気信号として、動歪み計３８により測定され、Ａ／Ｄコンバータ３９を介してコンピュータ４０に表示される。
【００４６】
前脛部２０Ａを構成する生地（ここでは、図４，図５に示す素材）の流水抵抗を各流速について求めた結果を、表１に示す。
【００４７】
【表１】
2009249788.tif 000003
【００４８】
本体部１０Ａと前脛部２０Ａとは、縫製によって一体化されている。本体部１０Ａおよび前脛部２０Ａを構成する部材は、いずれも、所定の伸縮性を有するストレッチ素材である。このストレッチ素材は、縦方向及び横方向に伸縮する２ウェイストレッチ編物および２ウェイストレッチ織物から選ばれる少なくとも一つの布帛（ふはく）であることが好ましい。
【００４９】
本体部１０Ａおよび前脛部２０Ａを構成する生地としては、ポリアミド系、ポリエステル系、ポリプロピレン系などの合成繊維マルチフィラメント系、または、これらの合成繊維マルチフィラメント系とポリウレタン弾性糸条の交編、あるいは交編よりなる編物、織物を用いることができる。特に、競泳用水着は動きやすさが重要視されるため、素材としては、合成繊維マルチフィラメント糸条とポリウレタン弾性糸条の交編による編物を用いることが好ましい。また、この編物としては、丸編地であるシングル丸編地、ダブル丸編地、経編地であるトリコット地、ラッセル地をいずれも用いることが可能であるが、動きやすさを考慮すると、ストレッチ性、生地薄さの観点から、トリコット地を用いることが好ましい。上記の生地に通常の染色加工を施して、染色仕上げを行なう。
【００５０】
図７，図８は、図６に示す前脛部材２０の変形例の構造を模式的に示す図である。図７に示すように、前脛部材２０において、編地による凸部２１に代えて、ウレタンやシリコン樹脂をボンディングすることにより形成された凸部２２が設けられてもよい。また、図８に示すように、基布上にウレタンシートなどの樹脂シートを貼付するラミネート加工により凸部２３を設けてもよい。さらに、所定の形状の突条を円周方向に設けたロールを用いた高温高圧のエンボス加工により、凸部を形成してもよい。
【００５１】
本実施の形態によれば、矢印ＤＲ２方向に沿った抵抗が相対的に低く、矢印ＤＲ１方向に沿った抵抗が相対的に高い素材で前脛部２０Ａを構成することにより、水中を進む際の抵抗は低いにも関わらず、水を蹴るという水泳動作の感覚が得難くなることを抑制できる。したがって、低抵抗でかつ装着者が泳ぎのフォームを崩すことを抑制可能な水着１が提供される。
【００５２】
上述した内容について要約すると、以下のようになる。すなわち、本実施の形態に係る水着１は、伸縮性を有する素材からなる水着であって、経方向および緯方向に沿った流水摩擦抵抗が正逆方向で等しい「第１の部分」としての本体部１０Ａと、「第１の方向」としての矢印ＤＲ１方向に沿った流水摩擦抵抗が、「第２の方向」としての矢印ＤＲ２方向に沿った流水摩擦抵抗よりも高く、かつ、本体部１０Ａの経方向および緯方向に沿った流水摩擦抵抗よりも高い「第２の部分」としての前脛部２０Ａとを備える。
【００５３】
（実施の形態２）
図９〜図１１は、実施の形態２に係る水着を示す図である。なお、図９は、水着１Ｂの斜視図であり、図１０は、水着１Ｂの側面図であり、図１１は、水着１Ｂの背面図である。
【００５４】
図９〜図１１を参照して、本実施の形態に係る水着１Ｂは、実施の形態１に係る水着１Ａの変形例であって、パンツ部分のみを備えていることを特徴とする。
【００５５】
図９〜図１１に示すように、本実施の形態においても、装着者の脛の前面に相当する部分に前脛部２０Ｂが設けられている。
【００５６】
なお、上記以外の事項については、実施の形態１と同様であるので、詳細な説明は繰り返さない。
【００５７】
（実施の形態３）
図１２〜図１４は、実施の形態３に係る水着を示す図である。なお、図１２は、水着１Ｃの斜視図であり、図１３は、水着１Ｃの側面図であり、図１４は、水着１Ｃの背面図である。
【００５８】
図１２〜図１４を参照して、本実施の形態に係る水着１Ｃは、実施の形態１に係る水着１Ａの変形例であって、袖部をさらに備え、袖部に上述した前脛部２０Ｂと同じ素材からなる「第２部材」としての前腕部２０Ｃを設けていることを特徴とする。
【００５９】
図１５は、前腕部２０Ｃを拡大して示す図である。図１５を参照して、流水摩擦抵抗が大きい矢印ＤＲ１方向と、装着者の前腕の長手方向（図１５中の上下方向）とのなす角度（図１５中のβ）は、−９０°より大きく９０°未満程度（より好ましくは、−３０°以上３０°以下程度）であることが好ましい。
【００６０】
本実施の形態に係る水着によれば、腕で水を掻くという水泳動作の感覚が得やすくなる。この結果、装着者が泳ぎのフォームを崩すことを抑制できる。
【００６１】
なお、上記以外の事項については、実施の形態１と同様であるので、詳細な説明は繰り返さない。
【実施例】
【００６２】
以下、本発明に係る水着の実施例について説明する。
（実施例１）
実施例１に係る水着は、上述した実施の形態１に係る水着１Ａ（図１〜図３）の一例である。
【００６３】
本実施例では、各部材は相互に縫製により一体化される。この縫製においては、フラットシーマミシンを用い、針糸にポリエステルスパンライクフィラメント糸、上かがり糸と下かがり糸にウーリーナイロン糸を用いてフラットシーマの縫目で縫着した。
【００６４】
本体部１０Ａを構成する素材としては、下記（Ａ）に説明する生地に、下記（Ｂ），（Ｃ）に説明する親水性処理および撥水性処理を施したものを使用した。なお、撥水性処理が施されない部分（親水性部分）は島状に、撥水性処理を施す撥水性部分は海状に設けられ、親水性部分の幅はたとえば１０ｍｍであり、撥水性部分の幅はたとえば１２ｍｍ程度程度である。親水性部分と撥水性部分との表面積の比は、たとえば、２５：７５程度である。
（Ａ）  生地
ポリエステル繊維を８０重量％、ポリウレタン繊維を２０重量％含むツーウェイ編物（生地厚み平均０．５４ｍｍ、目付け２４５ｇ／ｃｍ2、ＪＩＳ１０９６で測定した４．９Ｎ荷重時の伸長率が経方向５０％、緯方向２０％、１７．６Ｎ荷重時の伸長率が経方向１１０％、緯方向９０％）を使用した。
（Ｂ）  親水性処理
吸水ゲル吸着粒子として、凝集粒子の平均粒子径３〜５μｍのＳｉＯ2に、吸水ゲル樹脂を吸着させた、エネックス社製「ＧＰ−Ｋ−１」を１０重量％、バインダ樹脂としてウレタン系樹脂（日華化学社製「エヴァファノールＡＰ１２」）とを１重量％、水１０リットルに分散し、親水性処理液とした。この親水性処理液に伸縮性生地を浸漬し、ピックアップ率１６重量％となるように絞り、乾燥させた。これにより、吸水ゲル吸着粒子は、伸縮性生地に１．６重量％付着した。なお、凝集粒子の平均粒子径は、市販の粒度分布計（たとえば、堀場製作所製のレーザ回折粒度測定器（ＬＡ９２０）、島津製作所製のレーザ回折粒度測定器（ＳＡＬＤ２１００）など）により測定可能である。
（Ｃ）  撥水性処理
撥水性処理液として、フッ素樹脂系撥水剤（七福化学社製の「ＤＰ−１０」を４重量％、増粘剤として七福化学社製の「セブテックスＭ−２０」を３重量％、架橋剤として七福化学社製の「ブロックイソシアネートＺＲ，ＺＮ」を３重量％、水１０リットルに分散し、撥水性処理液とした。この撥水性処理液をプリント捺染により、ウエットアップ率が２１重量％となるように伸縮性生地にプリントし、これを乾燥させた後、１７０℃のピンテンターでセットし、伸縮性生地を仕上げた。
【００６５】
前脛部２０Ａを構成する素材としては、２８ゲージのシングルトリコット編機を用い、４４デシテックス３６フィラメントのポリエステル丸断面フィラメントをフロント筬に、５５デシテックスのポリウレタン系弾性糸である“ライクラ”（登録商標）をバック筬に配して、シンカー面のウエル（ヨコ）方向に畝を形成した生機を編成し、この生機を通常のポリエステルとポリウレタン系弾性糸との交編経編地の染色加工方法に順じて、染色加工を行ない、アクリル樹脂を含浸し弗素系撥水加工後、順目通しによるカレンダー加工で畝の凸部を片倒しして得た順目、逆目のある編地を使用した。
【００６６】
図３に示す矢印ＤＲ１方向方向が、装着者の身長方向（図３中の上下方向）となす角度（α）は、約６０°であるが、この角度は、上述した範囲で適宜変更可能である。
【００６７】
（実施例２）
実施例２に係る水着は、上述した実施の形態３に係る水着１Ｃ（図１２〜図１５）の一例である。
【００６８】
本実施例における本体部１０Ａおよび前腕部２０Ｃを構成する素材としては、実施例１における本体部１０Ａおよび前脛部２０Ａを構成する素材と同様のものを用いる。
【００６９】
図１５に示す矢印ＤＲ１方向方向が、装着者の前腕部の長手方向（図１５中の上下方向）となす角度（β）は、ほぼ０°であるが、この角度は、上述した範囲で適宜変更可能である。
【００７０】
（実施例３）
実施例３に係る水着は、実施例１，２に係る水着の特徴を組合わせたものである。すなわち、実施例３に係る水着は、図１〜図３に示す前脛部２０Ａ、および、図１２〜図１５に示す前腕部２０Ｃの両方を含む。
【００７１】
（実施例１〜３と比較例との対比）
以下では、上述の実施例１，３に係る水着と、実施例１，３に係る水着における前脛部２０Ａおよび前腕部２０Ｃを本体部１０Ａと同じ素材に置き換えた比較例に係る水着とを比較した結果について説明する。ここでは、５名のトップスイマーに実際に水着を装着した上で（平泳ぎで）泳いでもらい、その感覚について聞き取り調査を行なった。その結果を表２に示す。
【００７２】
【表２】
2009249788.tif 000004
【００７３】
表２に示すように、腕で水を掻く感覚の得やすさとしては、前腕部２０Ｃを備えない比較例に対し、前腕部２０Ｃを備える実施例３の方が、「感覚を得やすい」と回答する傾向にある。また、脚のキックする感覚の得やすさとしては、前脛部２０Ａを備えない比較例に対し、前脛部２０Ａを備える実施例１の方が、「感覚を得やすい」と回答する傾向にあり、さらに、前腕部２０Ｃを備える実施例３の方が、実施例１よりも「感覚を得やすい」と回答する傾向にある。すなわち、前腕部２０Ｃを備えることで、腕で水を掻く感覚が得やすくなるとともに、脚のキックする感覚の得やすさも向上する。
【００７４】
このように、上述した実施例に係る水着は、平泳ぎで泳ぐ際に、スイマーに「泳ぎの動作に関する感覚が得やすい」という印象を与えることができることが分かる。なお、他の泳法で泳ぐ際にも、脛前面や前腕部は、スイマーの感覚に大きな影響を与える部分であるため、前脛部２０Ａや前腕部２０Ｃを設けることにより、スイマーに「泳ぎの動作に関する感覚が得やすい」という印象を与え、泳ぎのフォームが崩れることを抑制する効果が十分に期待できる。なお、各泳法に特に適した水着を設計する際は、その泳法の特性に合わせて、前脛部２０Ａや、前腕部２０Ｃの位置または角度（ＤＲ１，ＤＲ２の方向）、抵抗値、素材そのものを調整する事が可能である。
【００７５】
以上、本発明の実施の形態および実施例について説明したが、今回開示された実施の形態および実施例はすべての点で例示であって制限的なものではないと考えられるべきである。本発明の範囲は特許請求の範囲によって示され、特許請求の範囲と均等の意味および範囲内でのすべての変更が含まれることが意図される。
【図面の簡単な説明】
【００７６】
【図１】本発明の実施の形態１に係る水着を示す斜視図である。
【図２】本発明の実施の形態１に係る水着を示す側面図である。
【図３】本発明の実施の形態１に係る水着を示す背面図である。
【図４】図１〜図３に示す水着における前脛部を構成する素材の構造を示す拡大写真（その１）である。
【図５】図１〜図３に示す水着における前脛部を構成する素材の構造を示す拡大写真（その２）である。
【図６】図１〜図３に示す水着における前脛部を構成する素材の構造を模式的に示す図（その１）である。
【図７】図１〜図３に示す水着における前脛部を構成する素材の構造を模式的に示す図（その２）である。
【図８】図１〜図３に示す水着における前脛部を構成する素材の構造を模式的に示す図（その３）である。
【図９】本発明の実施の形態２に係る水着を示す斜視図である。
【図１０】本発明の実施の形態２に係る水着を示す側面図である。
【図１１】本発明の実施の形態２に係る水着を示す背面図である。
【図１２】本発明の実施の形態３に係る水着を示す斜視図である。
【図１３】本発明の実施の形態３に係る水着を示す側面図である。
【図１４】本発明の実施の形態３に係る水着を示す背面図である。
【図１５】図１２〜図１４に示す水着における前腕部を拡大して示す図である。
【図１６】衣類設計支援装置の一例を示す図である。
【図１７】図１２に示す衣類設計支援装置で用いられるポリゴン座標の一例を示す図である。
【図１８】流水摩擦抵抗を測定する装置の一例を示す図である。
【符号の説明】
【００７７】
１Ａ，１Ｂ，１Ｃ  水着、１０Ａ，１０Ｂ，１０Ｃ  本体部、２０  前脛部材、２１，２２，２３  凸部、２０Ａ，２０Ｂ  前脛部、２０Ｃ  前腕部。
【図１】
2009249788.tif 000005
【図２】
2009249788.tif 000006
【図３】
2009249788.tif 000007
【図６】
2009249788.tif 000008
【図７】
2009249788.tif 000009
【図８】
2009249788.tif 000010
【図９】
2009249788.tif 000011
【図１０】
2009249788.tif 000012
【図１１】
2009249788.tif 000013
【図１２】
2009249788.tif 000014
【図１３】
2009249788.tif 000015
【図１４】
2009249788.tif 000016
【図１５】
2009249788.tif 000017
【図１６】
2009249788.tif 000018
【図１７】
2009249788.tif 000019
【図１８】
2009249788.tif 000020
【図４】
2009249788.tif 000021
【図５】
2009249788.tif 000022